(57)【要約】      （修正有）【課題】無線通信システムの通信装置にセカンダリセル構成を追加する動作を改善する。【解決手段】プライマリセルとして構成されたセルと、セカンダリセルとして構成された少なくとも一つのセルとを用いて通信システムにおいて、非アクティブ化されたセカンダリセルは基準信号を送信するＳ２。ユーザーデバイスは、無線アクセスネットワークによって提示された測定構成情報に基づいてセルの基準信号を測定するＳ３。測定構成情報は基準信号のタイミング構成を含み、ユーザーデバイスは、セカンダリセル測定周期パラメーターの整数倍であるセカンダリセル測定の測定期間に従って、セカンダリセルのためのセカンダリコンポーネントキャリアの測定を実行する。【選択図】図６
2019033527.tif 000002
【特許請求の範囲】
【請求項１】
プライマリセルとして構成されたセルと、セカンダリセルとして構成された少なくとも一つのセルとを用いて通信システムと通信を行うユーザーデバイスであって、
前記少なくとも一つのセルが非アクティブ化されたセカンダリセルであるとき、前記少なくともひとつのセルは基準信号を送信し、
無線アクセスネットワーク(Radio Access Network, RAN)によって前記ユーザーデバイスに提示された測定構成情報に基づいて、セルの基準信号を測定するための手段を前記ユーザーデバイスは備え、前記測定構成情報は前記基準信号のタイミング構成を含み、
セカンダリセル測定周期パラメーターに基づくセカンダリセル測定の測定期間に従って、前記セカンダリセルのためのセカンダリコンポーネントキャリアの測定を実行するように、前記ユーザーデバイスは構成され、
前記セカンダリセル測定の前記測定期間は、前記セカンダリセル測定周期パラメーターの整数倍である、ユーザーデバイス。
【請求項２】
Ｒａｄｉｏ  Ｒｅｓｏｕｃｅ  Ｃｏｎｔｒｏｌ（ＲＲＣ）信号を用いて前記通信システムから前記測定構成情報を受信する、請求項１に記載のユーザーデバイス。
【請求項３】
前記通信システムへ、前記基準信号の測定報告を行う手段を更に備える、請求項１または請求項２に記載のユーザーデバイス。
【請求項４】
前記少なくとも一つのセカンダリセルがアクティブ化されることを示す情報を受信する手段を更に備える、請求項１乃至請求項３のいずれかに記載のユーザーデバイス。
【請求項５】
前記基準信号の測定は、共通基準信号に基づく測定である、請求項１乃至請求項４のいずれかに記載のユーザーデバイス。
【請求項６】
前記基準信号は、セル固有基準信号及びチャネル状態情報基準信号の少なくともひとつを含む、請求項１乃至５のいずれかに記載のユーザーデバイス。
【請求項７】
プライマリセルとして構成されたセルと、セカンダリセルとして構成された少なくとも一つのセルとを用いて通信システムと通信を行うユーザーデバイスにおける方法であって、
前記少なくとも一つのセルが非アクティブ化されたセカンダリセルであるとき、前記少なくともひとつのセルは基準信号を送信し、
無線アクセスネットワーク(Radio Access Network, RAN)によって前記ユーザーデバイスに提示された測定構成情報に基づいて、前記ユーザーデバイスはセルの基準信号を測定し、前記測定構成情報は前記基準信号のタイミング構成を含み、
セカンダリセル測定周期パラメーターに基づくセカンダリセル測定の測定期間に従って、前記セカンダリセルのためのセカンダリコンポーネントキャリアの測定を、前記ユーザーデバイスは実行し、
前記セカンダリセル測定の前記測定期間は、前記セカンダリセル測定周期パラメーターの整数倍である、方法。
【請求項８】
Ｒａｄｉｏ  Ｒｅｓｏｕｃｅ  Ｃｏｎｔｒｏｌ（ＲＲＣ）信号を用いて前記通信システムから前記測定構成情報を受信する請求項７記載の方法。
【請求項９】
前記通信システムへ、前記基準信号の測定報告を更に行う、請求項７または請求項８に記載の方法。
【請求項１０】
前記少なくとも一つのセカンダリセルがアクティブ化されることを示す情報を更に受信する、請求項７乃至請求項９のいずれかに記載の方法。
【請求項１１】
前記基準信号の測定は、共通基準信号に基づく測定である、請求項７乃至請求項１０のいずれかに記載の方法。
【請求項１２】
前記基準信号は、セル固有基準信号及びチャネル状態情報基準信号の少なくともひとつを含む、請求項７乃至１１のいずれかに記載の方法。
【発明の詳細な説明】
【技術分野】
【０００１】
本発明は、移動電気通信デバイス及び移動電気通信ネットワークに関し、限定はしないが、特に、第３世代パートナーシッププロジェクト（３ＧＰＰ）標準規格又はその均等物若しくは派生物に従って動作する移動電気通信デバイス及び移動電気通信ネットワークに関する。本発明は、限定はしないが、特に、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【０００２】
本出願は、２０１１年７月４日に出願された英国特許出願第１１１１３７４．３号を基礎としており、この英国特許出願の優先権の利益を主張する。この英国特許出願の開示は、引用することによりその全体が本明細書の一部をなす。
【背景技術】
【０００３】
３ＧＰＰ標準化プロセスの一部として、２０ＭＨｚを超えるシステム帯域幅の場合のダウンリンク動作は、種々の周波数にある複数のコンポーネントキャリアのアグリゲーションに基づくものと決定された。そのようなキャリアアグリゲーションを用いて、連続的なスペクトルを有するシステム、及び連続的なスペクトルを有しないシステムの両方における動作をサポートすることができる（例えば、非連続的なシステムは８００ＭＨｚ、２ＧＨｚ及び３．５ＧＨｚのコンポーネントキャリアを含む場合がある）。レガシー移動デバイスは、単一の、後方互換性があるコンポーネントキャリアを用いてのみ通信できる場合があるが、更に進んだマルチキャリア対応端末であれば、複数のコンポーネントキャリアを同時に使用することができる。
【０００４】
キャリアアグリゲーションは、複数のキャリアによって異なる電力クラスのセル間、及びオープンアクセスセルとクローズド加入者グループ（ＣＳＧ）セルとの間の干渉を管理できるようになるので、システム帯域幅が連続的であり、２０ＭＨｚを超えない場合であっても、異機種ネットワーク（ＨｅｔＮｅｔ）において特に利益をもたらすことができる。或る特定の電力クラスのセル（マクロ／ピコ／ＣＳＧ）にキャリアを排他的に専用化することによって、長期のリソース分割を実行することができる。
【０００５】
さらに、同じ場所を占めるか、又は重なり合う地理的エリアにおいて同じ周波数のコンポーネントキャリア上で動作する異なるセル間で干渉を管理する必要があることから、拡張キャリアが開発された（拡張キャリアは、レガシーデバイスとの後方互換性はない）。拡張キャリアは、キャリアアグリゲーションに基づくＨｅｔＮｅｔ動作及びスペクトル効率改善のためのツールとして用いることができる。マルチキャリア対応基地局は、その基地局のキャリアのうちの少なくとも１つを拡張キャリアとして動作させることができ、拡張キャリア上では、制御チャネル（例えば、物理ダウンリンク制御チャネル（ＰＤＣＣＨ）等のリソーススケジューリング情報を搬送するチャネル）、共通基準信号（ＣＲＳ）（セル固有基準信号と呼ばれる場合もある）及び他の情報を送信することはできない。拡張キャリアの使用を可能にするには、マルチキャリア基地局によって用いられるコンポーネントキャリアセットの少なくとも１つの更なるコンポーネントキャリアが、拡張キャリアのスケジューリング情報を送信するのに用いることができるスタンドアローンキャリアでなければならない。
【０００６】
したがって、第１の基地局がコンポーネントキャリアを拡張キャリアとして動作させているとき、別の基地局は、第１の基地局と概ね同じ地理的エリアにおいて、同じ周波数のコンポーネントキャリアを、制御チャネル、ＣＲＳ及び他のそのような情報をより確実に送信するように動作させることができ、第１の基地局によって動作する拡張キャリア上には対応する制御チャネル、ＣＲＳ及び他のそのような情報が存在しないので、著しい干渉は生じない。
【０００７】
詳細には、拡張キャリアは、単一のキャリア（スタンドアローン）キャリアとして動作できないが、コンポーネントキャリアセットの一部でなければならないキャリアを含み、セット内のキャリアの少なくとも１つがスタンドアローン対応キャリアである。拡張キャリアは、以下のいずれかを送信するのに用いることはできない。
【０００８】
・物理ダウンリンク制御チャネル（ＰＤＣＣＨ）
・物理ハイブリッドＡＲＱインジケーターチャネル（ＰＨＩＣＨ）
・物理制御フォーマットインジケーターチャネル（ＰＣＦＩＣＨ）
・物理ブロードキャストチャネル（ＰＢＣＨ）
・一次同期信号（ＰＳＳ）
・二次同期信号（ＳＳＳ）、又は
・共通基準信号セル固有基準信号（ＣＲＳ）
【発明の概要】
【発明が解決しようとする課題】
【０００９】
したがって、基地局は、プライマリセルを第１のコンポーネントキャリアで動作させることができるとともに、セカンダリセルを、拡張キャリアとして動作する第２のコンポーネントキャリアで動作させることができる。移動通信デバイスが基地局のセルに入るとき、この基地局は、プライマリセル及びセカンダリセル用の無線リソース構成を識別する構成情報をその移動デバイスに提供することができる。
【００１０】
しかしながら、プライマリセル及びセカンダリセルによってカバーされる地理的エリアは、設計によるか又は第１のコンポーネントキャリア及び第２のコンポーネントキャリアの範囲が無線環境条件の結果として異なることによるかのいずれかで、一致しない場合があり得る。したがって、移動通信デバイスは、セカンダリセルに入ることなく、プライマリセルに入り、そのプライマリセルから通信し、次いで、そのプライマリセルを去る場合がある。そのような場合、拡張キャリアの範囲がセカンダリセルとして用いられるのに十分である範囲内に移動通信デバイスがいないときに、基地局は、望ましくないことに、セカンダリセル構成を追加する（場合によっては、セカンダリセル構成をアクティブ化する）ように移動通信デバイスにシグナリングする場合がある。
【００１１】
それゆえ、本発明は、上記の問題を克服するか、少なくとも緩和する移動通信デバイス及び関連する方法を提供することを目的とする。
【課題を解決するための手段】
【００１２】
上述の課題を解決するため、本発明は、その一態様として、プライマリセルと、少なくとも一つのセカンダリセルとを用いて基地局と通信を行う移動局であって、前記少なくとも一つのセカンダリセルが非アクティブ化されているときに、測定構成情報に基づいて、基準信号の測定を行う測定手段を備え、前記測定手段は、前記基準信号の測定を前記セカンダリセルの周波数で行う移動局を提供する。
【００１３】
また、本発明は、他の一態様として、プライマリセルと、少なくとも一つのセカンダリセルとを用いて基地局と通信を行う移動局における方法であって、前記少なくとも一つのセカンダリセルが非アクティブ化されているときに、測定構成情報に基づいて、基準信号の測定を行い、前記基準信号の測定を前記セカンダリセルの周波数で行う、方法を提供する。
【図面の簡単な説明】
【００１４】
【図１】電気通信システムを示す概略図である。
【図２】図１の電気通信システムのコンポーネントキャリアの構成を示す図である。
【図３ａ】図１の電気通信システムにおいて提供される種々の基準信号のリソースグリッドの単純化した説明図である。
【図３ｂ】図１の電気通信システムにおいて提供される種々の基準信号のリソースグリッドの単純化した説明図である。
【図３ｃ】図１の電気通信システムにおいて提供される種々の基準信号のリソースグリッドの単純化した説明図である。
【図４】図１の電気通信システムの基地局の単純化したブロック図である。
【図５】図１の電気通信システムの移動通信デバイスの単純化したブロック図である。
【図６】図１の電気通信システムの動作を示す単純化したフローチャートである。
【発明を実施するための形態】
【００１５】
概説
図１は、移動（セルラー）電気通信システム１を概略的に示しており、そのシステムでは、複数の移動通信デバイス３−１、３−２、３−３、３−４のうちのいずれかのユーザーが、複数の基地局５−１、５−２及び５−３のうちの１つ又は複数を介して、他のユーザーと通信することができる。図１に示されるシステムでは、図示される各基地局５は、マルチキャリア環境において動作することができる発展型ユニバーサル地上波無線アクセスネットワーク（Ｅ−ＵＴＲＡＮ）基地局である。
【００１６】
図１において、５−１を付された基地局は、いわゆる「マクロ」基地局を含み、コンポーネントキャリアセットのそれぞれのコンポーネントキャリア（ＣＣ）Ｃ１、Ｃ２を用いて、地理的に相対的に大きな複数の「マクロ」セル７、８を動作させる。この実施形態では、マクロ基地局５−１は、コンポーネントキャリアＣ１を一次セル（ＰＣｅｌｌ）７が提供される一次コンポーネントキャリアとして、コンポーネントキャリアＣ２を二次セル（ＳＣｅｌｌ）８が提供される二次コンポーネントキャリアとして動作させる。ＰＣｅｌｌ７はＳＣｅｌｌ８よりも地理的に大きなカバレッジを有する。ＰＣｅｌｌ７とＳＣｅｌｌ８とのサイズの違いは設計による場合があるか（例えば、コンポーネントキャリアＣ２に低い送信電力を用いる結果として）、又は一次キャリアＣ１及び二次キャリアＣ２に異なる程度に影響を及ぼす１つ又は複数の無線環境要因から生じる場合がある（例えば、高い周波数の二次キャリアＣ２よりも、低い周波数の一次キャリアＣ１に及ぼす影響が小さい経路損失）。
【００１７】
図１に示される他の基地局５−２及び５−３はそれぞれ、いわゆる「ピコ」基地局を含み、周波数に関してマクロ基地局５−１によって用いられるコンポーネントキャリアに対応するコンポーネントキャリア（ＣＣ）Ｃ１、Ｃ２を有するコンポーネントキャリアセットを用いて、複数の「ピコ」セル９−２、９−３、１０−２、１０−３を動作させる。各ピコ基地局５−２、５−３は、コンポーネントキャリアＣ２においてそれぞれのピコ一次セル（ＰＣｅｌｌ）９−２、９−３を、コンポーネントキャリアＣ１においてそれぞれのピコ二次セル（ＳＣｅｌｌ）１０−２、１０−３を動作させる。したがって、ピコＰｃｅｌｌ９は、マクロＳｃｅｌｌ８と実質的に同じ周波数帯を共有し、ピコＳｃｅｌｌ１０は、マクロＰｃｅｌｌ７と実質的に同じ周波数帯を共有する。図１に示されるように、ピコセル９、１０を提供するために用いられるキャリアＣ１、Ｃ２の電力は、この例のピコＰＣｅｌｌ９の地理的カバレッジがピコＰＣｅｌｌ１０の地理的カバレッジと概ね同じ場所を占めるように設定される。
【００１８】
ピコセル９、１０を提供するために用いられる電力は、マクロセル７、８のために用いられる電力に比べて低く、それゆえ、ピコセル９、１０はマクロセル７、８に比べて小さい。図１に示されるように、この例では、各ピコセル９、１０の地理的カバレッジはマクロＰＣｅｌｌ７の地理的カバレッジ内に完全に入り、マクロＳＣｅｌｌ７の地理的カバレッジと部分的に重なり合う。
【００１９】
図２を参照すると、セルごとのコンポーネントキャリアの構成が示されており、マクロＰＣｅｌｌ７と各ピコＳＣｅｌｌ１０との間に相対的に高い通信干渉が生じる可能性があることが明らかになる。マクロＰＣｅｌｌ７及びピコＳＣｅｌｌ１０は同じ場所を占める地理的領域内で動作し、共通のコンポーネントキャリア周波数を用いるので、干渉のリスクが高い。さらに、ピコ基地局５−２、５−３によって用いられる電力に比べてマクロ基地局５−１によって用いられる電力が相対的に高いので、各ピコＳＣｅｌｌ１０によってカバーされる地理的エリアにおいて、マクロ基地局５−１からの通信信号の強度が、それぞれのピコ基地局５−２、５−３からの通信信号に匹敵する場合がある。マクロＳＣｅｌｌ７と各ピコＰＣｅｌｌ１０との間に幾らかの干渉が生じる可能性もあるが、任意のそのような干渉は相対的に小さく、かつマクロＳＣｅｌｌ７及びピコＰＣｅｌｌ１０が重なり合う相対的に小さな地理的領域に限定される可能性が高い。
【００２０】
干渉の問題を緩和するために、マクロＳｃｅｌｌ８のために用いられるコンポーネントキャリアＣ２は、送信することができる情報の性質が限定される拡張キャリアとしてマクロ基地局５−１によって動作する。具体的には、そのコンポーネントキャリアは、拡張キャリアとして動作するときに、以下のうちのいずれかを送信するのに用いることはできない。
【００２１】
・物理ダウンリンク制御チャネル（ＰＤＣＣＨ）
・物理ハイブリッドＡＲＱインジケーターチャネル（ＰＨＩＣＨ）
・物理制御フォーマットインジケーターチャネル（ＰＣＦＩＣＨ）
・物理ブロードキャストチャネル（ＰＢＣＨ）
・一次同期信号（ＰＳＳ）
・二次同期信号（ＳＳＳ）、又は
・共通基準信号セル固有基準信号（ＣＲＳ）
【００２２】
したがって、拡張キャリアは、事実上、単一（スタンドアローン）キャリアとして動作させることができない「ＰＤＣＣＨレス（PDCCH-less）」キャリアであり、それゆえに、セット内のキャリアのうちの少なくとも１つがスタンドアローン対応キャリアであるコンポーネントキャリアセットの一部として動作させなければならない。マクロ基地局５−１は、スタンドアローンキャリアとしてキャリアＣ１を動作させ、このスタンドアローンキャリア上において、ＰＤＣＣＨは、移動通信デバイス３がマクロＳＣｅｌｌ８内で動作しているときに当該移動通信デバイスによって通信目的で用いられるコンポーネントキャリアＣ２のリソースをスケジューリングするのに用いられる。
【００２３】
ピコＳＣｅｌｌ１０のそれぞれに用いられるそれぞれのコンポーネントキャリアＣ１は、関連付けられたピコ基地局５−２、５−３によって（前述したような）拡張キャリアとしてもそれぞれ動作される。ピコＰＣｅｌｌ９のそれぞれに用いられるそれぞれのコンポーネントキャリアＣ２は、関連付けられたピコ基地局５−２、５−３によってスタンドアローンキャリアとして動作され、移動通信デバイス３が関連付けられたピコＳＣｅｌｌ１０内で動作しているときに当該移動通信デバイスによって通信目的で用いられるコンポーネントキャリアＣ１のリソースのクロスキャリアスケジューリングに用いられる。
【００２４】
各基地局５は、無線リソース制御（ＲＲＣ）シグナリングを用いて、基地局５が提供するセカンダリセル８、１０内での可能性のある動作用に特定の移動通信デバイス３を構成する。ＳＣｅｌｌ８、１０は、移動通信デバイス３において構成されると、非アクティブ化状態にある。したがって、ＳＣｅｌｌ８、１０をアクティブ化する（その後、非アクティブ化する）ために、ＳＣｅｌｌ８、１０が移動通信デバイス３において構成されると、基地局５は、媒体アクセス制御（ＭＡＣ）シグナリングを用いる。
【００２５】
ＳＣｅｌｌ８に用いられるコンポーネント（拡張）キャリアＣ２がＰＣｅｌｌ７用のコンポーネントキャリアＣ１よりも大幅に小さい地理的エリアをカバーする、マクロ基地局５−１について示すようなシナリオでは、特定の移動通信デバイス３は、ＳＣｅｌｌ８のコンポーネント（拡張）キャリアＣ２によってカバーされる地理的エリアに入れない場合がある。したがって、ＳＣｅｌｌ８の不要な構成及び／又はアクティブ化を回避するために、移動通信デバイス３は、コンポーネント（拡張）キャリアＣ２の信号強度を求め、その結果をマクロ基地局５−１に報告するように構成され、マクロ基地局５−１が、コンポーネント（拡張）キャリアＣ２をＳＣｅｌｌ８としていつ構成し、及び／又は追加／除去するのかを決定することができるようになっている。具体的には、移動通信デバイス３は、ＳＣｅｌｌ８が動作するコンポーネントキャリアＣ２の基準信号受信電力（ＲＳＲＰ）及び基準信号受信品質（ＲＳＲＱ）の測定値を求めて報告するように構成される。
【００２６】
共通基準信号（セル固有基準信号としても知られている）が、物理ダウンリンク共有チャネル（ＰＤＳＣＨ）送信をサポートするとともにスタンドアローンキャリアで動作するセル内において、全てのダウンリンクサブフレームにおいて送信される。共通基準信号は、セルがサポートする非ＭＢＳＦＮ（単一周波数ネットワーク上のマルチメディアブロードキャスト（Multi-Media Broadcast over a Single Frequency Network））送信で全てのダウンリンクサブフレームにおいて送信される。ＭＢＳＦＮを用いた送信に用いられるサブフレームの場合、共通基準信号は、ＭＢＳＦＮサブフレームの非ＭＢＳＦＮ領域（例えば、最初の２つのシンボル）においてのみ送信される。共通基準信号は、基地局の１つ又は幾つかのアンテナポート（例えば、アンテナポート０〜３）において送信することができる（３ＧＰＰ  ＴＳ３６．２１１，ｖ１０．２．０，６．１０．１を参照）。
【００２７】
図３ａは、リソースが共通（セル固有）基準シグナリングの目的で割り当てられたサブフレームの一般的なリソースグリッドを包括的に２０で示している。図３ａに見られるように、ＣＲＳは、各スロットの４つの異なるサブキャリア周波数（行）及び２つの異なるシンボル番号（列）を用いて、リソースグリッドの双方のスロット全体にわたって概ね一様に分散した８つのリソース（「シンボル」）１２において通信される。ＣＲＳに用いられるシンボル１１は、ＰＤＣＣＨ用に割り当てられた制御領域１１及びデータ領域１３におけるシンボルを含む。
【００２８】
プライマリセル７、９の場合、各移動通信デバイス３は、（例えば、現リリース１０のバージョン３ＧＰＰ  ＴＳ３６．１３３  ｖ１０．３．０のセクション９．１．２及び９．１．５にそれぞれ規定されているように）スタンドアローンキャリアとして動作している各コンポーネントキャリアのＲＳＲＰ及び／又はＲＳＲＱの測定値を、そのようなキャリア上で定期的に送信される共通基準信号（ＣＲＳ）を用いて求めることができる。
【００２９】
したがって、各移動通信デバイス３は、マクロ基地局５−１によって動作されるようなコンポーネントキャリアＣ１と、ピコ基地局５−２及び５−３によって動作されるようなコンポーネントキャリアＣ２とのＲＳＲＰ及び／又はＲＳＲＱの測定値を求めることができる。
【００３０】
しかしながら、ＳＣｅｌｌ８、１０の場合、用いられているコンポーネントキャリアは、拡張キャリアとして動作されるので、ＣＲＳは送信されず、したがって、移動通信デバイス３によって測定することができない。しかしながら、図１の通信システムでは、各移動通信デバイス３は、有利には、各拡張キャリア（マクロ基地局５−１によって動作されるようなコンポーネントキャリアＣ２、及び各ピコ基地局５−２、５−３によって動作されるようなコンポーネントキャリアＣ１）のＲＳＲＰ及びＲＳＲＱの値を、ＣＲＳ以外の基準信号に基づいて求めることができる。これらの基準信号は、ＰＤＣＣＨ用に割り当てられた制御領域１１にシンボルを含まないリソースグリッドのリソースにおいて通信される。
【００３１】
具体的には、この実施形態では、各移動通信デバイス３は、拡張キャリアとして動作されているコンポーネントキャリアのＲＳＲＰ及びＲＳＲＱの値を、チャネル状態情報基準信号（ＣＳＩ−ＲＳ）に基づいて求めるように構成される。ＣＳＩ−ＲＳは、一般に、ランクインジケーター（ＲＩ）、プリコーディング行列インジケーター（ＰＭＩ）及びチャネル品質インジケーター（ＣＱＩ）等の測定の目的で拡張キャリアを含む各コンポーネントキャリアの上位レイヤシグナリングを介して構成される。マクロ基地局５−１の場合、拡張キャリアとして動作されているコンポーネントキャリアＣ２のそのような測定値を取得して報告するように移動通信デバイス３を構成するために、マクロ基地局５−１は、ＰＣｅｌｌ７に用いられるスタンドアローンコンポーネントキャリアＣ１上で測定構成メッセージを移動通信デバイス３に送信する。
【００３２】
この実施形態では、マクロ基地局５−１は、有利には、既知のＣＳＩ−ＲＳ  Ｃｏｎｆｉｇ情報要素（ＰＣｅｌｌ用の既知のＰｈｙｓｉｃａｌＣｏｎｆｉｇＤｅｄｉｃａｔｅｄ情報要素及びＳＣｅｌｌ用の既知のＰｈｙｓｉｃａｌＣｏｎｆｉｇＤｅｄｉｃａｔｅｄＳＣｅｌｌの一部を成す）を利用して、移動通信デバイス３に対するＣＳＩ−ＲＳ構成を識別する。マクロ基地局５−１は、有利には、既知の「ＭｅａｓＣｏｎｆｉｇ」情報要素（ＲＲＣＣｏｎｎｅｃｔｉｏｎＲｅｃｏｎｆｉｇｕｒａｔｉｏｎメッセージにおいて送信される）も利用して、移動通信デバイス３によって行われる測定を識別し、それらの測定の結果をＲＳＲＰ／ＲＳＲＱ値としてマクロ基地局５−１にどのように報告するべきかを識別する（これらのメッセージ／情報要素を参照するには、現リリース１０のバージョン３ＧＰＰ  ＴＳ３６．３３１（ｖ１０．２．０）を参照）。
【００３３】
図３ｂは、リソースがチャネル状態情報（ＣＳＩ）基準シグナリングの目的で割り当てられたサブフレームの一般的なリソースグリッドを包括的に２１で示している。図３ａに見られるように、ＣＳＩ−ＲＳは、最初のスロットのみの単一のサブキャリア周波数及び２つの異なるシンボル番号（特定のサブフレームについてであり、他のサブフレームでは、他の周波数／シンボル番号が用いられる）のみを用いて、２つの隣接するシンボル１２で通信される。しかしながら、ＣＲＳシグナリングと異なり、ＣＳＩ基準シグナリングに用いられるシンボル１１は、データ領域１３にはシンボルを含むが、ＰＤＣＣＨ用に割り当てられた制御領域１１にはシンボルを含まない。現在の技術的な認識は、ＣＲＳがリソースグリッドにわたってかつ制御チャネル内においてより広く分散しているため、コンポーネントキャリア強度の測定はＣＲＳを用いるべきであるというものであるが、移動通信デバイスがセカンダリセルによってカバーされる領域にいつ入ったのかを判断する目的で十分な正確さを確保するように、ＣＳＩ−ＲＳ上での測定を精密化することができることがわかっている。
【００３４】
この実施形態では、移動通信デバイス３はそれぞれ、無線リソース制御（ＲＲＣ）ベースのメカニズムを用いるように構成される。このメカニズムでは、ＣＳＩ−ＲＳの測定が、移動通信デバイス３によって行われ、ＲＳＲＰ及びＲＳＲＱを表す値が、移動通信デバイス３による測定から求められ、次いで、それらの結果が、ＲＲＣシグナリングを用いて（例えば、３ＧＰＰ  ＴＳ３６．３３１  ｖ１０．２．０のセクション６．２に言及されたＲＲＣ  ＭｅａｓｕｒｍｅｎｔＲｅｐｏｒｔメッセージのＭｅａｓＲｅｓｕｌｔｓ情報要素内のｍｅａｓＲｅｓｕｌｔＳＣｅｌｌフィールドを用いて）、ＲＲＣ測定報告としてマクロ基地局５−１に報告される。
【００３５】
マクロ基地局５−１は、移動通信デバイス３から測定結果の結果を受信すると、その結果を解析して、移動通信デバイス３が拡張キャリアＣ２のカバレッジエリアに入ったか否かを判断する。移動通信デバイス３が、拡張キャリアＣ２のカバレッジエリアに入った場合、マクロ基地局５−１は、適切なＲＲＣシグナリングを用いて（例えば、３ＧＰＰ  ＴＳ３６．３３１  ｖ１０．２．０のセクション５．３．１０．３ｂに言及されているように、適切なＳＣｅｌｌ無線リソース構成情報を含むｓＣｅｌｌＴｏＡｄｄＭｏｄＬｉｓｔ情報要素を含むＲＲＣＣｏｎｎｅｃｔｉｏｎＲｅｃｏｎｆｉｇｕｒａｔｉｏｎメッセージを用いて）、拡張キャリアＣ２で動作されるＳＣｅｌｌ８用の構成情報を移動通信デバイス３にシグナリングする。移動通信デバイス３が、ＳＣｅｌｌ８における動作用に構成された後、マクロ基地局５−１は、必要に応じて、ＭＡＣシグナリングを用いて、移動通信デバイス３においてＳＣｅｌｌ８をアクティブ化する（又はその後、非アクティブ化する）。
【００３６】
マクロ基地局５−１が、移動通信デバイス３が拡張キャリアＣ２のカバレッジエリアを去ったと判断した場合、マクロ基地局５−１は、適切なＲＲＣシグナリングを用いて（例えば、３ＧＰＰ  ＴＳ３６．３３１、セクション５．３．１０．３ａに言及されているように、解除されるＳＣｅｌｌ８を識別する情報を含むｓＣｅｌｌＴｏＲｅｌｅａｓｅＬｉｓｔ情報要素を含むＲＲＣＣｏｎｎｅｃｔｉｏｎＲｅｃｏｎｆｉｇｕｒａｔｉｏｎメッセージを用いて）、拡張キャリアＣ２で動作されるＳＣｅｌｌ８の解除を移動通信デバイス３にシグナリングする。
【００３７】
この実施形態では、拡張キャリア上でのＣＳＩ−ＲＳのＣＳＩ−ＲＳ  ＲＳＲＰ／ＲＳＲＱの測定のための測定周期は、有利には、３ＧＰＰ  ＴＳ３６．１３３  ｖ１０．３．０に言及されたタイミングパラメーターｓｃｅｌｌＭｅａｓＣｙｃｌｅに依存する（例えば、ｓｃｅｌｌＭｅａｓＣｙｃｌｅの５倍）。移動通信デバイス３は、ＳＣｅｌｌ８が移動通信デバイス３において構成されていない間及びＳＣｅｌｌ８が構成されているが移動通信デバイス３において非アクティブ化されている間の双方でこのサイクルに従って、拡張キャリア上でＲＳＲＰ／ＲＳＲＱ測定を引き続き行う。
【００３８】
したがって、現在の通信システムとは異なり、この実施形態は、有利には、移動通信デバイスが拡張キャリアのカバレッジに入ったか否かに応じて、移動通信デバイスにおいて、拡張キャリアで動作されるセカンダリセルの効率的な選択的構成（又は解除）を可能にする。したがって、移動通信デバイスは、基地局によって第１のキャリアで動作されるプライマリセルに入った場合であっても、当該移動通信デバイスが、その基地局によって動作される第２のキャリア、すなわち拡張キャリアのカバレッジエリアに入るまで、セカンダリセル内でのその拡張キャリアでの通信用に構成されない。
【００３９】
本発明の実施形態は、基地局が、地理的に一致していない種々のセルを動作させる多くの他のシナリオにおいても特に有利であることが理解されよう。例えば、第１のセルが、第２のコンポーネントキャリアで第２のセルによってカバーされる部分（例えば、エリアの２分の１）（及び、場合によっては、第３のコンポーネントキャリアで動作される第３のセルによってカバーされるエリアの一部）と部分的に重なり合うように方向付けられた（セクター分割された（sectorised））第１のアンテナを用いて、基地局が拡張キャリアで第１のセルを動作させる場合。
【００４０】
基地局
図４は、図１に示す基地局５の主要な構成要素を示すブロック図である。明確にするために、基地局は、マクロ基地局５−１に関して説明されるが、ピコ基地局５−２、５−３のそれぞれが同様に構成されてもよいことが理解されよう。マクロ基地局５−１は、送受信機回路３１を備えるＥ−ＵＴＲＡＮマルチキャリア対応基地局を含む。この送受信機回路は、少なくとも１つのアンテナ３３を介して信号を移動通信デバイス３に対して送受信するように動作可能である。基地局５−１は、ネットワークインターフェース３５を介してコアネットワークに対して信号を送受信するように動作可能でもある。送受信機回路３１の動作は、メモリ３９に記憶されたソフトウェアに従ってコントローラー３７によって制御される。
【００４１】
このソフトウェアは、特に、オペレーティングシステム４１、通信制御モジュール４２、コンポーネントキャリア管理モジュール４３、測定モジュール４５及びＳＣｅｌｌ管理モジュール４７を含む。
【００４２】
通信制御モジュール４２は、そのコンポーネントキャリアセットのコンポーネントキャリア（ＣＣ）Ｃ１、Ｃ２上での移動通信デバイス３との通信を制御するように動作可能である。コンポーネントキャリア管理モジュール４３は、コンポーネントキャリアＣ１、Ｃ２の使用、詳細には、ＰＣｅｌｌ７及びＳＣｅｌｌ８の構成及び動作並びにＳＣｅｌｌ８用のコンポーネントキャリアの拡張キャリアとしての動作を管理するように動作可能である。測定モジュール４５は、移動通信デバイス３と通信して、拡張キャリアのＲＳＲＰ及びＲＳＲＱを求める目的で拡張キャリア上でＣＳＩ−ＲＳの測定を開始するように移動通信デバイス３を構成する。また、測定モジュール４５は、移動通信デバイス３が、ＳＣｅｌｌ構成用の拡張キャリアの十分な範囲内にいるかどうかを判断するために、移動通信デバイス３から受信された測定報告を解析して、ＲＳＲＰ及びＲＳＲＱの測定結果を抽出する。ＳＣｅｌｌ管理モジュール４７は、移動通信デバイス３が、ＲＳＲＰ及びＲＳＲＱの測定によって示されるように拡張キャリアの十分な範囲内にいるとき、移動通信デバイス３において、ＳＣｅｌｌ８の構成及びそのアクティブ化／非アクティブ化を行うために移動通信デバイス３との通信を管理する。また、ＳＣｅｌｌ管理モジュール４７は、移動通信デバイス３が、ＲＳＲＰ及びＲＳＲＱの測定によって示されるように拡張キャリアの十分な範囲内にもはやいないとき、移動通信デバイス３においてＳＣｅｌｌ８を解除するように移動通信デバイス３との通信を管理する。
【００４３】
上記の説明では、理解するのを容易にするために、基地局５−１は、幾つかの別個のモジュールを有するものとして説明される。これらのモジュールは、或る特定の応用形態の場合、例えば、本発明を実施するために既存のシステムが変更された場合には、このようにして設けられてもよいが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。
【００４４】
移動通信デバイス
図５は、図１に示される移動通信デバイス３の主要構成要素を示すブロック図である。各移動通信デバイス３は、マルチキャリア環境において動作することができる移動（又は「セル」電話）を含む。移動通信デバイス３は、少なくとも１つのアンテナ５３を介して、基地局５との間で信号を送受信するように動作可能である送受信機回路５１を備える。送受信機回路５１の動作は、メモリ５９内に記憶されたソフトウェアに従ってコントローラー５７によって制御される。
【００４５】
ソフトウェアは、中でも、オペレーティングシステム５１、通信制御モジュール６２、測定モジュール６５及びセル識別モジュール６７を含む。
【００４６】
通信制御モジュール６２は、関連するコンポーネントキャリア（ＣＣ）Ｃ１、Ｃ２上の基地局５との通信を管理するように動作可能である。測定モジュール６５は、拡張キャリアのＲＳＲＰ及びＲＳＲＱを求める目的で拡張キャリア上でＣＳＩ−ＲＳの測定を行うように移動通信デバイス３を構成する目的で、基地局５から測定構成情報を受信する。測定モジュール６５は、測定の実行を管理し、ＲＳＲＰ及びＲＳＲＱを求め、関連付けられた測定報告を生成し、生成された報告を基地局５に送信する。また、測定モジュール６５は、例えば、ＰＣｅｌｌを動作させるのに用いられるコンポーネントキャリア上で通信されるＣＲＳの測定等の他の測定の実行も管理する。
【００４７】
ＳＣｅｌｌ管理モジュール６７は、移動通信デバイス３が拡張キャリアの十分な範囲内にいるとき、移動通信デバイス３においてＳＣｅｌｌ８を構成するとともにアクティブ化／非アクティブ化する目的で基地局５との通信を管理する。また、ＳＣｅｌｌ管理モジュール６７は、移動通信デバイス３が拡張キャリアの十分な範囲内にもはやいないとき、移動通信デバイス３においてＳＣｅｌｌ８を解除する目的で基地局５との通信を管理する。ＳＣｅｌｌ管理モジュール６７は、基地局５からＳＣｅｌｌ構成メッセージを受信すると、関連付けられたＳＣｅｌｌ構成情報６９をメモリに記憶する。
【００４８】
上記の説明では、理解するのを容易にするために、通信デバイス３は、幾つかの別個のモジュールを有するものとして説明される。これらのモジュールは、或る特定の応用形態の場合、例えば、本発明を実施するために既存のシステムが変更された場合には、このようにして設けられてもよいが、他の応用形態、例えば、最初から本発明の特徴を念頭に置いて設計されるシステムでは、これらのモジュールはオペレーティングシステム又はコード全体の中に組み込むことができるので、これらのモジュールは別個の実体として区別可能でない場合もある。
【００４９】
動作
図６は、本実施形態によるマクロ基地局（ＢＳ）５−１のセカンダリセル内で動作するように移動通信デバイス（ＭＣＤ）３を構成する通信システム１の動作を示すフローチャートである。
【００５０】
図６に見られるように、Ｓ１において、移動通信デバイス３が、基地局５−１のプライマリセル７に入ったとき、Ｓ２において、基地局５−１は、適切な測定構成情報を移動通信デバイス３にシグナリングする。この実施形態では、測定構成情報は、基地局５−１がそのセカンダリセル８を動作させるのに用いる拡張キャリア上のＣＳＩ−ＲＳ用の情報を含む。したがって、Ｓ３において、移動通信デバイス３は、プライマリセル７に用いられるコンポーネントキャリアのＣＲＳを測定するだけでなく、拡張キャリアの異なるタイプの基準信号、この実施形態ではＣＳＩ−ＲＳも測定する。Ｓ４において、移動通信デバイス３は、測定の結果（この実施形態では、ＲＳＲＰ及びＲＳＲＱの値）を含む関連付けられた測定報告を生成し、この測定報告を基地局５−１に送信する。次に、Ｓ５において、基地局３は、測定結果から、移動通信デバイス３がセカンダリセル８のカバレッジエリア内にいるか否かを判断する。移動通信デバイス３がセカンダリセル８のカバレッジエリア内にいる場合、Ｓ６において、基地局５−１は、セカンダリセル８用の構成情報を移動通信デバイス３にシグナリングする。移動通信デバイス３は、この情報を受信すると、Ｓ７において、セカンダリセル８がその移動通信デバイス３上でアクティブ化されるときに用いるセカンダリセル構成情報を記憶する。次に、Ｓ８において、基地局５−１は、必要な場合には、セカンダリセル構成情報をアクティブ化する（及び、その後、非アクティブ化する）ように移動通信デバイス３にシグナリングすることができる。移動通信デバイスは、ＣＳＩ−ＲＳを（例えば、Ｓ９に示すように）定期的に測定し、それらの結果を報告し続ける。移動通信デバイス３がセカンダリセル８のカバレッジエリア内にいる場合、基地局３は、移動通信デバイス３から送信される定期的な測定報告を監視して、移動通信デバイス３がセカンダリセルの拡張キャリアのカバレッジエリアにいつ入ったのかを判断し続ける。
【００５１】
他の変更形態及び代替形態
上記で詳細な実施形態が説明された。当業者であれば理解するように、上記の実施形態及び変形形態に対し、これらの実施形態及び変形形態において具現化される本発明から依然として利益を受けながら、複数の変更及び代替を行うことができる。
【００５２】
上記実施形態又は別の実施形態では、例えば、ＣＳＩ−ＲＳに基づく測定に加えて又はこの代わりとして、基地局５及び移動通信デバイス３は、異なる信号の測定を用いるように構成することができ、この測定に基づいて、基地局５は、移動通信デバイスが動作する拡張キャリアの範囲内に当該移動通信デバイスがいるか否かを判断することができる。例えば、基地局５及び移動通信デバイス３は、（例えば、３ＧＰＰ  ＴＳ３６．２１１、ｖ１０．２．０のセクション６．１０．４に規定されているように）測位基準信号（ＰＲＳ）の測定を用いるように構成することができる。
【００５３】
測位基準信号は、測位基準信号送信用に構成されたダウンリンクサブフレーム内のリソースブロックにおいてのみ送信される。通常のサブフレーム及びＭＢＳＦＮサブフレームの双方が、セル内で測位サブフレームとして構成される場合、測位基準信号送信用に構成されたＭＢＳＦＮサブフレーム内のＯＦＤＭシンボルは、サブフレーム番号０に用いられるのと同じサイクリックプレフィックスを用いる。ＭＢＳＦＮサブフレームのみが、セル内で測位サブフレームとして構成される場合、これらのサブフレームにおいて測位基準信号用に構成されるＯＦＤＭシンボルは、拡張サイクリックプレフィックス長を用いる。測位基準信号送信用に構成されたサブフレームでは、測位基準信号送信用に構成されたＯＦＤＭシンボルの開始位置は、全てのＯＦＤＭシンボルが測位基準信号送信用に構成されたＯＦＤＭシンボルと同じサイクリックプレフィックス長を有するサブフレーム内の開始位置と実質的に同一である。測位基準信号は、専用のアンテナポート（通常、アンテナポート６）において送信される。
【００５４】
図３ｃは、リソースが測位基準シグナリングの目的で割り当てられたサブフレームの一般的なリソースグリッドを包括的に２３で示している。図３ａに見られるように、ＰＲＳは、通常、２つのスロット内の或る場所のサブキャリア周波数のほとんど及びほとんどのシンボル番号（特定のサブフレームについてであり、他のサブフレームでは、他の周波数／シンボル番号が用いられる）を用いて、ＰＤＣＣＨに割り当てられていないサブフレームの領域全体にわたって分散したシンボル１２で通信される。したがって、ＣＲＳシグナリングと異なり、測位基準シグナリングに用いられるシンボル１１は、データ領域１３にはシンボルを含むが、ＰＤＣＣＨに割り当てられた制御領域１１にはシンボルを含まない。上述したように、現在の技術的な認識は、ＣＲＳが、制御チャネルを含むリソースグリッドにわたってより広く分散しているため、コンポーネントキャリア強度の測定はＣＲＳを用いるべきであるというものである。しかしながら、移動通信デバイスがセカンダリセルによってカバーされる領域にいつ入ったのかを判断する目的で十分な正確さを確保するように、ＰＲＳ上での測定を精密化することができることがわかっている。ＰＲＳを用いると、ＣＳＩ−ＲＳのリソース分布はより広くなるが、ＰＲＳを用いることは、より複雑であり、その使用を実施するには現在のやり方に対するより大きな変更を必要とする可能性が高い。
【００５５】
ＰＲＳの場合、例えば、通信システム１は、移動通信デバイスのネットワークベースのロケーションを計算するネットワーク要素であるいわゆる「サービング移動ロケーションセンター」（ＳＭＬＣ）を備える場合がある。そのような実施形態では、ＳＭＬＣは、観測到達時間差（ＯＴＤＯＡ）測定のために基準信号時間差（ＲＳＴＤ）測定に含まれるセルのリストを提供する。ＳＭＬＣは、拡張キャリアがＯＴＤＯＡ測定用の拡張キャリアに含まれるべきであると判断し、拡張キャリア（複数の場合もある）上で移動通信デバイス３にブロードキャストされたＰＲＳの構成を識別する。
【００５６】
この実施形態では、移動通信デバイス３が、マクロ基地局５−１のプライマリセル７に入ったとき、マクロ基地局５−３は、セカンダリセルがＲＲＣシグナリングを用いて（例えば、ＲＲＣ  ＭｅａｓＣｏｎｆｉｇメッセージを用いて）動作する拡張キャリアＣ２の存在を移動通信デバイス３に知らせる。移動通信デバイス３は、拡張キャリア上でブロードキャストされたＰＲＳの測定を行い、これらの測定から拡張キャリアのＲＳＲＰ／ＲＳＲＱ値を求め、ＲＳＲＰ／ＲＳＲＱ値を前述したような測定報告で基地局５−１に報告する。これは、ＳＭＬＣであって、測定を開始した基地局５−１ではないので、基地局５−１は、測定が行われていることを知らない。したがって、この実施形態では、移動通信デバイス３が、ＯＴＤＯＡ測定を行っていることを、適切なＲＲＣシグナリングを用いて（例えば、３ＧＰＰ  ＴＳ３６．３３１、ｖ１０．２．０、セクション６．２．１に規定されたＩｎｔｅｒＦｒｅｑＲＳＴＤＭｅａｓｕｒｅｍｅｎｔＩｎｄｉｃａｔｉｏｎメッセージを用いて）基地局５−１に知らせ、移動通信がＯＴＤＯＡ周波数間ＲＳＴＤ測定を開始（又はその後、停止しようとしていることを示す。これには、（例えば、３ＧＰＰ  ＴＳ３６．１３３に規定されるような）測定ギャップが必要とされる。ＲＲＣシグナリングは、移動通信デバイス３が周波数間ＲＳＴＤ測定を行う必要があるキャリア周波数（ＩｎｔｅｒＦｒｅｑＲＳＴＤＭｅａｓｕｒｅｍｅｎｔＩｎｄｉｃａｔｉｏｎメッセージ内のｃａｒｒｉｅｒＦｒｅｑ  ＩＥ）におけるＰＲＳ測位機会（positioning occasions）の最小オフセットも示す。
【００５７】
ＳＭＬＣは、別個のネットワーク要素とすることもできるし、基地局又は他の通信ノードの機能に統合することもできる。
【００５８】
基地局５及び移動通信デバイス３は、ＰＲＳ及び／又はＣＳＩ−ＲＳの代わりとして又はこれらに加えてＲＳＲＰ及びＲＳＲＱの測定を基地局５に提供する目的で、拡張キャリア上で提供される専用の基準信号を用いるように構成することができることも理解されよう。
【００５９】
さらに、ＲＳＲＰ及びＲＳＲＱのＲＲＣベースの測定及び報告は特に有利であるが、測定は、他のレイヤ、例えば、物理レイヤ及び／又はＭＡＣレイヤに基づくことができることが理解されよう。具体的には、移動通信デバイス３は、プライマリセルのコンポーネントキャリアでＣＱＩ測定を行って、基地局５に結果を報告することができる。その後、基地局は、基地局５内のレイヤ間インターラクションを通じて、ＣＱＩ報告をＲＲＣ測定報告（ＲＳＲＰ／ＲＳＲＱ値を含む）に変換することができる。その後、基地局５は、ＲＲＣ測定報告内の情報を用いて、移動通信デバイス３においてセカンダリセルをいつ構成するのか及びセカンダリセル構成をいつ解除するのかを判断することができる。
【００６０】
現在の通信システムでは、ＣＱＩ報告は、コンポーネントキャリア周波数がアクティブ化されたときの測定を含むが、本実施形態では、ＣＱＩ測定は、セカンダリセルが構成されていないとき及び／又はアクティブ化されていないときにも実行される。
【００６１】
通信システム１は、マクロ基地局又はピコ基地局として動作する基地局５に関して説明されているが、同じ原理は、フェムト基地局として動作する基地局、基地局機能の要素を提供する中継ノード、又は他のそのような通信ノードに適用することができることが理解されよう。
【００６２】
上述した実施形態は、有利には、関連した標準規格に規定された既知のパラメーターを再利用している（例えば、測定サイクルは、パラメーターｓｃｅｌｌＭｅａｓＣｙｃｌｅに基づいている）が、専用のパラメーターを規定することができることが更に理解されよう。その上、測定サイクルがｓｃｅｌｌＭｅａｓＣｙｃｌｅに基づいている場合には、測定サイクルは、ｓｃｅｌｌＭｅａｓＣｙｃｌｅの任意の適切な倍数、例えば、任意の適切な整数倍又は分数倍（例えば、１／４、１／２、１、２、３、５、１０、１５、２０、これらの間の任意のもの）とすることができる。
【００６３】
上記の実施形態では、移動電話ベースの電気通信システムが説明された。当業者であれば理解するように、本出願において説明されるシグナリング技法は、他の通信システムにおいて用いることができる。他の通信ノード又はデバイスには、例えば、携帯情報端末、ラップトップコンピューター、ウェブブラウザー等のようなユーザーデバイスを含めることができる。当業者であれば理解するように、上述された中継システムが移動通信デバイスのために用いられることは必須ではない。システムを用いて、基地局のカバレッジを、移動通信デバイスとともに、又はその代わりに、１つ又は複数の固定の演算デバイスを有するネットワークにおいて拡張することができる。
【００６４】
上記の実施形態では、基地局５及び移動通信デバイス３は、それぞれ送受信機回路部を備える。通常、この回路部は専用ハードウェア回路によって形成される。しかしながら、幾つかの実施形態では、送受信機回路部の一部を、対応するコントローラーによって実行されるソフトウェアとして実装することができる。
【００６５】
上記の実施形態では、複数のソフトウェアモジュールが説明された。当業者であれば理解するように、それらのソフトウェアモジュールは、コンパイル済みの形式又は未コンパイルの形式において与えることができ、コンピューターネットワークを介して信号として、又は記録媒体において基地局又は中継局に供給することができる。さらに、このソフトウェアの一部又は全部によって実行される機能は、１つ又は複数の専用のハードウェア回路を用いて実行することもできる。
【００６６】
種々の他の変更は当業者には明らかであり、ここでは、これ以上詳しくは説明しない。
【００６７】
上記の実施形態の一部又は全部は、以下の付記のようにも記載されうるが、以下には限られない。
【００６８】
（付記１）
プライマリセルと、少なくとも一つのセカンダリセルとを用いて基地局と通信を行う移動局であって、
前記少なくとも一つのセカンダリセルが非アクティブ化されているときに、測定構成情報に基づいて、基準信号の測定を行う測定手段を備え、
前記測定手段は、前記基準信号の測定を前記セカンダリセルの周波数で行う
移動局。
【００６９】
（付記２）
Ｒａｄｉｏ  Ｒｅｓｏｕｃｅ  Ｃｏｎｔｒｏｌ（ＲＲＣ）信号を用いて前記基地局から前記測定構成情報を受信する、付記１に記載の移動局。
【００７０】
（付記３）
前記基地局へ、前記基準信号の測定報告を行う手段を更に備える、付記１または付記２に記載の移動局。
【００７１】
（付記４）
前記少なくとも一つのセカンダリセルがアクティブ化されることを示す情報を受信する手段を更に備える、付記１乃至付記３のいずれかに記載の移動局。
【００７２】
（付記５）
前記基準信号の測定は、共通基準信号に基づく測定である、付記１乃至付記４のいずれかに記載の移動局。
【００７３】
（付記６）
プライマリセルと、少なくとも一つのセカンダリセルとを用いて基地局と通信を行う移動局における方法であって、
前記少なくとも一つのセカンダリセルが非アクティブ化されているときに、測定構成情報に基づいて、基準信号の測定を行い、
前記基準信号の測定を前記セカンダリセルの周波数で行う方法。
【００７４】
（付記７）
Ｒａｄｉｏ  Ｒｅｓｏｕｃｅ  Ｃｏｎｔｒｏｌ（ＲＲＣ）信号を用いて前記基地局から前記測定構成情報を受信する付記６記載の方法。
【００７５】
（付記８）
前記基地局へ、前記基準信号の測定報告を更に行う、付記６または付記７に記載の方法。
【００７６】
（付記９）
前記少なくとも一つのセカンダリセルがアクティブ化されることを示す情報を更に受信する、付記６乃至付記８のいずれかに記載の方法。
【００７７】
（付記１０）
前記基準信号の測定は、共通基準信号に基づく測定である、付記６乃至付記９のいずれかに記載の方法。
【００７８】
（付記１１）
プライマリセルと、少なくとも一つのセカンダリセルとを用いて基地局と通信を行う移動局として動作するコンピュータによって実行されるプログラムであり、
前記少なくとも一つのセカンダリセルが非アクティブ化されているときに、測定構成情報に基づいて、基準信号の測定を行う測定手段としてコンピュータを機能させるプログラムであって、
前記測定手段は、前記基準信号の測定を前記セカンダリセルの周波数で行う
プログラム。
【００７９】
（付記１２）
Ｒａｄｉｏ  Ｒｅｓｏｕｃｅ  Ｃｏｎｔｒｏｌ（ＲＲＣ）信号を用いて前記基地局から前記測定構成情報を受信するための手段としてコンピュータを機能させる、付記１１に記載のプログラム。
【００８０】
（付記１３）
更に、前記基地局へ、前記基準信号の測定報告を行う手段としてコンピュータを機能させる、付記１１または付記１２に記載のプログラム。
【００８１】
（付記１４）
更に、前記少なくとも一つのセカンダリセルがアクティブ化されることを示す情報を受信するための手段としてコンピュータを機能させる、付記１１乃至付記１３のいずれかに記載のプログラム。
【００８２】
（付記１５）
前記基準信号の測定は、共通基準信号に基づく測定である、付記１１乃至付記１４のいずれかに記載のプログラム。
【図１】
2019033527.tif 000003
【図２】
2019033527.tif 000004
【図３ａ】
2019033527.tif 000005
【図３ｂ】
2019033527.tif 000006
【図３ｃ】
2019033527.tif 000007
【図４】
2019033527.tif 000008
【図５】
2019033527.tif 000009
【図６】
2019033527.tif 000010